(57)【要約】【課題】捜索する対象者の個人情報を秘匿した状態で当該対象者の位置を推定することができる分類器生成装置等を提供する。【解決手段】  捜索対象者２を撮像する第１カメラ１１と、第１カメラ１１で撮像された撮像情報に基づいて、前記捜索対象者２ごとに当該捜索対象者２を分類する分類器を生成する分類器生成部１２４と、任意の場所に設置されている第２カメラ２１に関連付けられた監視制御装置２２が利用可能となるように、前記分類器を送信するデータ送信部１２６と、前記分類器による分類結果情報を取得する分類結果取得部３０１と、取得した前記分類結果情報に基づいて、前記捜索対象者２の位置を推定し、結果を出力する表示制御部３０４とを備える。【選択図】図１
2020107213.tif 000002
【特許請求の範囲】
【請求項１】
対象者を撮像する第１撮像手段と、
第１撮像手段で撮像された撮像情報に基づいて、前記対象者ごとに当該対象者を特定する分類器を生成する分類器生成手段と、
任意の場所に設置されている第２撮像手段に関連付けられた制御装置が利用可能となるように、前記分類器を送信する分類器送信手段を備えることを特徴とする分類器生成装置。
【請求項２】
請求項１に記載の分類器生成装置で生成された前記分類器が前記制御装置で利用された結果を検出結果情報として受信する検出結果情報受信手段と、
受信した前記検出結果情報に基づいて、前記対象者の位置を特定する位置特定手段と、
特定した前記対象者の位置の結果を出力する出力制御手段とを備えることを特徴とする対象者推定装置。
【請求項３】
請求項２に記載の対象者推定装置において、
前記対象者の移動速度に基づいて、当該対象者が存在する範囲を特定する範囲特定手段を備える対象者推定装置。
【請求項４】
請求項２又は３に記載の対象者推定装置において、
前記出力制御手段が、
任意の場所に設置されている前記第２撮像手段の場所、又は当該第２撮像手段の撮像情報から推定される前記対象者の場所をマップ上で表示すると共に、当該各第２撮像手段に関連付けられた前記制御装置が前記分類器で分類した前記検出結果情報を前記第２撮像手段の場所、又は推定される前記対象者の場所と対応付けて表示する対象者推定装置。
【請求項５】
請求項４に記載の対象者推定装置において、
前記出力制御手段が、
前記検出結果情報に基づいて前記第２撮像手段で撮像された人物が前記対象者である可能性を示す割合で演算され、当該割合が所定の値以上である場合に他の検出結果情報と異なる態様で表示する対象者推定装置。
【請求項６】
対象者を撮像する第１撮像手段と、
第１撮像手段で撮像された撮像情報に基づいて、前記対象者ごとに当該対象者を分類する分類器を生成する分類器生成手段と、
任意の場所に設置されている第２撮像手段に関連付けられた制御装置が利用可能となるように、前記分類器を送信する分類器送信手段と、
前記分類器による検出結果情報を受信する検出結果情報受信手段と、
受信した前記検出結果情報に基づいて、前記対象者の位置を演算する演算手段と、
演算した結果を出力する出力制御手段とを備えることを特徴とする対象者推定システム。
【請求項７】
対象者を撮像する第１撮像手段で撮像された撮像情報に基づいて、前記対象者ごとに当該対象者を分類する分類器を生成する分類器生成手段、
任意の場所に設置されている第２撮像手段に関連付けられた制御装置が利用可能となるように、前記分類器を送信する分類器送信手段としてコンピュータを機能させることを特徴とする分類器生成プログラム。
【請求項８】
請求項７に記載の分類器生成プログラムがコンピュータを動作させることで生成された前記分類器が前記制御装置で利用された結果を検出結果情報として受信する検出結果情報受信手段、
受信した前記検出結果情報に基づいて、前記対象者の位置を特定する位置特定手段、
特定した前記対象者の位置の結果を出力する出力制御手段としてコンピュータを機能させる対象者推定プログラム。
【発明の詳細な説明】
【技術分野】
【０００１】
本発明は、対象者を分類するための分類器を任意の監視カメラシステムに配布することで対象者の位置を推定する分類器生成装置等に関する。
【背景技術】
【０００２】
ディープラーニング（深層学習）を利用して不審人物等を捜索する技術として、例えば特許文献１に示す技術が開示されている。特許文献１に示す技術は、情報処理装置が、特定対象となる人物の特徴を示す顔画像以外の特徴情報の入力を受け付ける、入力受付部と、特徴情報に含まれる人物の特徴毎に、当該特徴と、画像に写っている人物の特徴との一致度合を判定する、第１判定部と、人物の特徴毎の判定結果に基づいて、特徴情報と画像に写っている人物とが一致しているかどうかを判定する、第２判定部と、を備えるものである。
【先行技術文献】
【特許文献】
【０００３】
【特許文献１】特開２０１８−１４２１３７号公報
【発明の概要】
【発明が解決しようとする課題】
【０００４】
しかしながら、特許文献１に示す技術は、顔画像以外の特徴情報に基づいて人物の一致を判断するものであるが、人物の一致及び非一致を判定する際に当該人物の画像と特徴情報とによる比較を行う必要がある。つまり、対象となる人物の画像情報が共有されることとなるため、個人情報が監視者等に筒抜けになってしまうという問題がある。特に、徘徊するお年寄りや家出人等を捜索するような場合には、できるだけ個人情報を秘匿した状態で対象者を捜査することが望まれる。
【０００５】
本発明は、捜索する対象者の個人情報を秘匿した状態で当該対象者の位置を推定することができる分類器生成装置等を提供する。
【課題を解決するための手段】
【０００６】
本発明に係る分類器生成装置は、対象者を撮像する第１撮像手段と、第１撮像手段で撮像された撮像情報に基づいて、前記対象者ごとに当該対象者を特定する分類器を生成する分類器生成手段と、任意の場所に設置されている第２撮像手段に関連付けられた制御装置が利用可能となるように、前記分類器を送信する分類器送信手段を備えるものである。
【０００７】
このように、本発明に係る分類器生成装置においては、対象者を撮像し、当該撮像された撮像情報に基づいて、前記対象者ごとに当該対象者を特定する分類器を生成し、任意の場所に設置されている第２撮像手段に関連付けられた制御装置が利用可能となるように、前記分類器を送信するため、対象者自身の個人情報が特定されるような画像などの情報を第３者に公開することなく分類器のみを配布することで、第２撮像手段に撮像される人物を特定することができるという効果を奏する。
【０００８】
本発明に係る対象者推定装置は、前記分類器生成装置で生成された前記分類器が前記制御装置で利用された結果を検出結果情報として受信する検出結果情報受信手段と、受信した前記検出結果情報に基づいて、前記対象者の位置を特定する位置特定手段と、特定した前記対象者の位置の結果を出力する出力制御手段とを備えるものである。
【０００９】
このように、本発明に係る対象者推定装置においては、分類器生成装置で生成された分類器による検出結果情報を受信し、受信した検出結果情報に基づいて対象者の位置を特定し、特定した対象者の位置の結果を出力するため、任意の箇所に設置されている第２撮像手段で撮像された対象者の位置を容易に確認し、捜索することが可能になるという効果を奏する。
【００１０】
本発明に係る対象者推定装置は、前記対象者の移動速度に基づいて、当該対象者が存在する範囲を特定する範囲特定手段を備えるものである。
【００１１】
このように、本発明に係る対象者推定装置においては、対象者の移動速度に基づいて、当該対象者が存在する範囲を特定するため、捜索範囲を絞って捜索作業を簡素化することができるという効果を奏する。
【００１２】
本発明に係る対象者推定装置は、前記出力制御手段が、任意の場所に設置されている前記第２撮像手段の場所、又は当該第２撮像手段の撮像情報から推定される前記対象者の場所をマップ上で表示すると共に、当該各第２撮像手段に関連付けられた前記制御装置が前記分類器で分類した前記検出結果情報を前記第２撮像手段の場所、又は推定される前記対象者の場所と対応付けて表示するものである。
【００１３】
このように、本発明に係る対象者推定装置においては、出力制御手段が、任意の場所に設置されている第２撮像手段の場所、又は当該第２撮像手段の撮像情報から推定される前記対象者の場所をマップ上で表示すると共に、当該各第２撮像手段に関連付けられた制御装置が分類器で分類した検出結果情報を第２撮像手段の場所、又は推定される前記対象者の場所と対応付けて表示するため、マップ上でどの第２撮像手段がどのような撮像対象を撮像したかを瞬時に確認して、対象者らしい人物の有無を確認することができるという効果を奏する。
【００１４】
本発明に係る対象者推定装置は、前記出力制御手段が、前記検出結果情報が、前記第２撮像手段で撮像された人物が前記対象者である可能性を示す割合で演算され、当該割合が所定の値以上である場合に他の結果情報と異なる態様で表示するものである。
【００１５】
このように、本発明に係る対象者推定装置においては、出力制御手段が、結果情報を第２撮像手段で撮像された人物が対象者である可能性を示す割合で演算され、当該割合が所定の値以上である場合に他の結果情報と異なる態様で表示するため、対象者らしい人物の位置情報をマップ上で容易に視認することが可能になるという効果を奏する。
【図面の簡単な説明】
【００１６】
【図１】第１の実施形態に係る対象者推定システムのシステム概要図である。
【図２】第１の実施形態に係る対象者推定システムのハードウェア構成を示すブロック図である。
【図３】分類器生成装置、監視制御装置及び管理装置等のコンピュータのハードウェア構成図である。
【図４】第１の実施形態に係る対象者推定システムの処理を示すフローチャートである。
【図５】第１の実施形態に係る分類器生成装置の機能ブロック図である。
【図６】第１の実施形態に係る分類器生成装置の処理を示すフローチャートである。
【図７】第１の実施形態に係る監視制御装置の機能ブロック図である。
【図８】第１の実施形態に係る監視制御装置の処理を示すフローチャートである。
【図９】第１の実施形態に係る管理装置の機能ブロック図である。
【図１０】第１の実施形態に係る管理装置の処理を示すフローチャートである。
【図１１】分類結果情報を取得してマップ表示するまでの具体的な処理の一例を示すフローチャートである。
【図１２】表示されたマップの一例を示す図である。
【発明を実施するための形態】
【００１７】
以下、本発明の実施の形態を説明する。また、本実施形態の全体を通して同じ要素には同じ符号を付けている。
【００１８】
（本発明の第１の実施形態）
本実施形態に係る分類器生成装置及び対象者推定装置を含む対象者推定システムについて、図１ないし図１２を用いて説明する。本実施形態に係る対象者推定システムは、例えば徘徊者を介護者が捜索するような場合に、徘徊者の個人情報を公開することなく任意の場所に設置されている監視カメラ等で徘徊者らしい人物を特定することで、プライバシーを確保しつつ徘徊者を効率よく捜索することが可能となる。以下の実施形態においては、介護施設における徘徊者の捜索を具体例として挙げ、徘徊者等の捜索される人を捜索対象者、介護者等の捜索する人を捜索者とする。なお、徘徊者の捜索以外にも、家出人、誘拐、行方不明者、人探し（身近な人や犯罪者なども含む）等で本技術を適用することが可能である。
【００１９】
図１は、本実施形態に係る対象者推定システムのシステム概要を示す図である。対象者推定システム１は、捜索対象者２が普段居住している介護施設に設置される分類器生成システム１０と、街中のコンビニエンスストア、スーパー、道路の電柱などに設置される監視カメラシステム２０と、監視カメラシステム２０から得られた情報を解析して捜索者に提示する管理装置３０と取得したデータ等を記憶するためのクラウドサーバ１００とを備える。
【００２０】
分類器生成システム１０は、例えば介護施設などの玄関付近に設置されており、建物から退出する人物（捜索対象者２）の静止画像や動画像を随時撮像する第１カメラ１１と、当該第１カメラ１１で撮像された撮像データに基づいて捜索対象者２を分類するための分類器を生成する分類器生成装置１２とを備える。分類器生成装置１２で生成される分類器はディープラーニングにより作成され、特定の人物を検知し、その検知した人を分類（クラス分け）する処理部であり、捜索対象者２の特徴（例えば、退出時の髪型、服装、外形、顔等）に応じた重み情報が生成される。生成された分類器の重み情報は、クラウドサーバ１００にアップロードされて記憶される。分類器生成装置１２の構成及び処理については、詳細を後述する。
【００２１】
監視カメラシステム２０は、既に一般的に普及している監視カメラシステム２０をベースにして本実施形態に適用させることができる。監視カメラシステム２０は、例えばコンビニエンスストアなどに設置されており、店内や出入口を常に監視して動画像を撮像する第２カメラ２１と、当該第２カメラ２１で撮像された撮像データを保存したり再生したりする監視制御装置２２とを備える。一般的に１台の監視制御装置２２で複数台の第２カメラ２１の撮像情報が管理されている。例えば、店内に設置された複数の第２カメラ２１を同じ店内に設置された１台の監視制御装置２２で管理したり、図１に示すように、複数の電柱に設置されている第２カメラ２１の撮像情報等を監視センターのような場所で一括して管理するような運用もある。
【００２２】
本実施形態においては、監視制御装置２２が、分類器生成装置１２で生成された分類器の重み情報をクラウドサーバ１００からダウンロードし、当該ダウンロードした重み情報を用いた分類器で第２カメラ２１にて撮像される人物が捜索対象者２であるかどうかの解析がなされる。分類器生成装置１２で生成された分類器の重み情報は、捜索対象者２の特徴を重み付けした情報であり、個人を特定するような情報は含まれない。すなわち、捜索対象者２の個人情報が不特定多数の人に公開されることなく捜索対象者２であるかどうかの解析が行われる。解析された結果はクラウドサーバ１００にアップロードされて記憶される。監視制御装置２２の構成及び処理については、詳細を後述する。
【００２３】
管理装置３０は、捜索者が捜索対象者２の位置を確認する場合や、システム管理をする場合に使用される。管理装置３０は、監視制御装置２２で検出及び分類された検出結果情報をクラウドサーバ１００からダウンロードし、捜索対象者２の位置を特定して出力する。検出結果情報には、第２カメラ２１に撮像された人物が捜索対象者２らしい情報が含まれており、例えばその人物が捜索対象者２である確率等が含まれる。捜索対象者２である確率が高い場合（例えば、予め設定された閾値よりも高い確率である場合）は、その人物が撮像された第２カメラ２１の位置情報、又は当該第２カメラ２１の設置向きと撮影された撮像情報とから捜索対象者２の位置を特定することが可能となる。位置が特定されると、マップ上のその位置に捜索対象者２らしい人物が撮像された旨の情報が表示される。捜索者は、マップ上に表示された情報と、実際に第２カメラ２１で撮像された撮像情報とから、第２カメラ２１で撮像された人物が捜索対象者２であるかどうかを判断することが可能となる。
【００２４】
このとき、捜索対象者２の移動速度を考慮して、捜索対象者２が存在する範囲を演算して特定することも可能である。例えば、徒歩で外出している場合、自転車で外出している場合、自動車で外出している場合、普段から電車等の公共交通機関を頻繁に利用している場合等の捜索対象者２の特徴を考慮することで、捜索対象者２が存在する最大範囲を外出から経過した時間で推定し、その範囲内に設置されている第２カメラ２１の撮像情報から捜索対象者２をメインに捜索することが可能となる。また、捜索対象者２のある時刻の位置が特定または高い確率で確からしい場合、次の時刻における捜索対象者２が存在する最大範囲を、前記ある時刻から前記次の時刻までに経過した時間と捜索対象者２の移動速度から、捜索対象者２が存在する最大範囲を逐次的に推定することが可能となる。管理装置３０の構成及び処理については、詳細を後述する。
【００２５】
なお、管理装置３０は、捜索対象者２の位置を確認する機能とシステム全体を管理する管理機能との両方を備える構成であってもよいし、それぞれの機能を別々の管理装置で行うようにしてもよい。また、第２カメラ２１に撮像された人物の情報は、捜索対象者２である確率が高い場合にのみ確率情報と共に管理装置３０に送信してもよいし、撮像される全ての人物について管理装置３０に送信されてもよい。さらに、捜索対象者２の位置の特定は、第２カメラ２１の位置情報から管理装置３０側で演算により求めてもよいし、第２カメラ２１を制御する監視制御装置２２側で演算した位置情報を管理装置３０に送信するようにしてもよい。さらに、捜索対象者２の位置を特定する演算は、前記管理装置３０により推定された捜索対象者２が存在する最大範囲に存在する第２カメラ２１に限定しても良い。
【００２６】
図２は、本実施形態に係る対象者推定システムのハードウェア構成を示すブロック図である。対象者推定システム１は、後に捜索対象者２となり得る人物を撮像する第１カメラ１１と、第１カメラ１１で撮像された撮像情報に基づいて被撮像者を検知及び分類することができる分類器を生成する分類器生成装置１２と、街中などの任意の場所に設置されている監視カメラとしての第２カメラ２１と、第２カメラ２１で撮像された情報の管理や第２カメラ２１の駆動を制御すると共に、分類器生成装置１２で生成された分類器を受け取って前記被撮像者を捜索対象者２として検知及び分類する処理を行う監視制御装置２２と、監視制御装置２２で検知及び分類した情報を受信して捜索対象者２が居る位置を特定すると共に、その情報をディスプレイ３１などに表示する管理装置３０とを備える。また、第カメラ１１や第２カメラ２１で撮像した撮像情報、分類器生成装置１２で生成された分類器の重み情報、及び／又は監視制御装置２２の解析結果等を格納するデータサーバを有するクラウドサーバ１００が備えられている。
【００２７】
なお、クラウドサーバ１００は、対象者推定システムの一部としてシステム内に備える構成としてもよいし、対象者推定システムには含まれない外部サーバとして存在してもよい。
【００２８】
図３は、分類器生成装置１２、監視制御装置２２及び管理装置３０等のコンピュータのハードウェア構成図である。各装置のコンピュータは、ＣＰＵ４１、ＲＡＭ４２、ＲＯＭ４３、ハードディスク（ＨＤとする）４４、通信Ｉ／Ｆ４５及び入出力Ｉ／Ｆ４６を備える。ＲＯＭ４３やＨＤ４４には、オペレーティングシステムや各種プログラムが格納されており、必要に応じてＲＡＭ４２に読み出され、ＣＰＵ４１により各プログラムが実行される。通信Ｉ／Ｆ４５は、装置間や各種デバイスとの通信を行うためのインタフェースである。入出力Ｉ／Ｆ４６は、第１カメラ１１や第２カメラ２１等のカメラ機器、タッチパネル、キーボード、マウス等の入力デバイスからの入力を受け付けたり、ディスプレイ３１に情報を出力するためのインタフェースである。なお、上記ハードウェアの構成はあくまで一例であり、必要に応じて変更可能である。
【００２９】
図４は、本実施形態に係る対象者推定システムの処理を示すフローチャートである。まず、後に捜索対象者２となり得る被撮像者が在住している施設等の出入口付近に設置された第１カメラ１１にて、退出する被撮像者を複数の角度から撮像する（Ｓ１）。分類器生成装置１２は、第１カメラ１１にて撮像された撮像情報に含まれる当該被撮像者の特徴（例えば、退出時の服装、髪型等）に基づいて、当該被撮像者を検知及び分類することが可能な分類器の重み情報を生成する（Ｓ２）。被撮像者の行方が不明となり捜索対象者２として捜索することになると、捜索対象者２に対応する分類器の重み情報が各地に設置されている監視カメラシステム２０の監視制御装置２２に配信される（Ｓ３）。
【００３０】
分類器の重み情報を受信した監視制御装置２２は、当該監視制御装置２２に対応付けられている第２カメラ２１で撮像された人物を分類器にかけて、当該人物が捜索対象者２であるかどうかの解析を行う（Ｓ４）。解析結果をクラウドサーバ１００に送信する（Ｓ５）。クラウドサーバ１００から解析結果を受信した管理装置３０は、捜索対象者２の移動速度等を考慮した推定処理を行い（Ｓ６）、捜索対象者２が撮像された確率と共に、その位置をマップ上に表示する（Ｓ７）。該当する捜索対象者２が見つかるまでＳ４〜Ｓ７の処理が繰り返して行われる。
【００３１】
次に、各装置の構成及び処理について詳細に説明する。図５は、本実施形態に係る分類器生成装置の機能ブロック図である。分類器生成装置１２は、第１カメラ１１が複数の方向から被撮像者を撮像した撮像情報を入力する撮像情報入力部１２１と、入力された撮像情報を格納しておく撮像情報記憶部１２２と、撮像情報に基づいて被撮像者を特定する分類器を生成するための教師データを作成する教師データ作成部１２３と、教師データを使ってディープラーニングを行って分類器の重み情報を生成する分類器生成部１２４と、生成された分類器の重み情報を格納しておく重み情報記憶部１２５と、生成された分類器の重み情報をクラウドサーバ１００にアップロードするデータ送信部１２６とを備える。このときクラウドサーバ１００にアップロードされる情報は分類器の重み情報であるため、被撮像者の個人情報が第３者に渡ることはなく、秘匿性を担保することが可能となる。
【００３２】
第１カメラ１１は、被撮像者の特徴データをより正確に取得するために複数の角度から被撮像者を撮像できるように配置されている。撮像場所は被撮像者が居住する建物から退出する際の玄関口などが好ましい。また、撮像処理は動画像により常時行ってもよいし、人が通過する際に反応するセンサに応じて、被撮像者の通過時のみ静止画像又は動画像にて撮像されるようにしてもよい。
【００３３】
教師データ作成部１２３は、第１カメラ１１で撮像された被撮像者の撮像情報（ここでは、動画像とする）からフレームごとに切り出し、当該フレーム内に人物が撮像されていれば人物の領域のみを切り出して教師データを作成する。分類器生成部１２４は、作成された教師データからディープラーニングを用いて分類器を生成する。データ送信部１２６は、生成された分類器の重み情報をクラウドサーバ１００にアップロードする。
【００３４】
なお、図５に示すように撮像情報入力１２１が入力した撮像情報は、撮像情報記憶部１２２に記憶される。この撮像情報は、第１カメラ１１が撮像した生データであり、被撮像者の顔など個人を特定する情報が多く含まれているため、分類器生成装置１２内で管理されることが望ましい。また、容量に応じて古い撮像情報から順次削除し、最新の撮像情報を常時記憶するようにしてもよい。また、重み情報記憶部１２５は、必ずしも構成として備える必要はないが、念のためのバックアップデータとして重み情報記憶部１２５に重み情報を格納しておくことが望ましい。
【００３５】
図６は、本実施形態に係る分類器生成装置の処理を示すフローチャートである。まず、撮像情報入力部１２１が第１カメラ１１で撮像された撮像情報の入力を受け付ける（Ｓ１）。教師データ作成部１２２が撮像情報から人物を切り出し、教師データを作成する（Ｓ２）。分類器生成部１２４が、ディープラーニングを用いて分類器を生成する（Ｓ３）。データ送信部１２６が、生成された分類器の重み情報をクラウドサーバ１００にアップロードして（Ｓ４）、分類器の生成処理を終了する。なお、分類器の生成処理において教師データに対する正解ラベルを与えるようにしてもよく、例えばスタッフによる入力作業、被撮像者の名札等に記載された識別情報（例えば、バーコードやＱＲコード（登録商標））の読み込み、顔認識等を用いるようにしてもよい。
【００３６】
図７は、本実施形態に係る監視制御装置の機能ブロック図である。監視制御装置２２は、クラウドサーバ１００にアップロードされた分類器に対応する被撮像者が行方不明になったり捜索対象者２となった場合に、その対応する分類器の重み情報を取得する重み情報取得部２２１と、第２カメラ２１が撮像した撮像情報を入力する撮像情報入力部２２２と、入力された撮像情報に対して画像の前処理を行う画像処理部２２３と、画像処理部２２３が処理した画像を、重み情報取得部２２１が取得した重み情報に基づいて作成された分類器にかけて、捜索対象者２を検知及び分類する分類処理部２２４と、分類処理の結果をクラウドサーバ１００にアップロードするデータ送信部２２５とを備える。
【００３７】
重み情報取得部２２１は、クラウドサーバ１００からの分類器取得指示に応じて重み情報を取得する。例えば、クラウドサーバ１００から双方向通信を用いてクラウドサーバ１００上の分類器のダウンロードリンクを受信し、受信したダウンロードリンクに対してリクエストを行い、分類器をダウンロードする。ダウンロードされた情報は、分類器の重み情報であり個人情報は含まれていない。したがって、捜索対象者２の個人を特定するような個人情報が第３者に漏洩することはない。なお、分類器の取得方法は上記の方法に限らず、クラウドサーバ１００から対応する重み情報を受信することができる方法であれば何でもよい。
【００３８】
画像処理部２２３は、第２カメラ２１で撮像された撮像情報（ここでは、動画像とする）からフレームごとに切り出し、当該フレーム内に人物が撮像されていれば人物の領域のみを切り出す処理を行う。そして、分類処理部２２４において、画像処理部２２３にて画像処理された画像データに対し、重み情報取得部２２１で取得された重み情報に基づいて作成された分類器により画像を分類し、撮像された人物が捜索対象者２であるかの分類を行う。データ送信部２２５は、分類された結果をクラウドサーバ１００にアップロードする。
【００３９】
図８は、本実施形態に係る監視制御装置の処理を示すフローチャートである。まず、重み情報取得部２２１が、クラウドサーバ１００から分類器の重み情報の取得指示を受信する（Ｓ１）。受信した取得指示にしたがってクラウドサーバ１００から重み情報を取得する（Ｓ２）。撮像情報入力部２２２が、第２カメラ２１で撮像された撮像情報の入力を受け付ける（Ｓ３）。画像処理部２２３が、撮像情報の中から人物を切り出す（Ｓ４）。分類処理部２２４が、Ｓ４で切り出した画像の人物について分類器を使った分類処理を行う（Ｓ５）。ここで言う分類処理は、クラウドサーバ１００から取得した重み情報に基づいて作成された分類器により、Ｓ４で切り出した画像の人物が捜索対象者２であるかを分類し、その一致度を算出する。データ送信部２２５が、分類結果をクラウドサーバ１００にアップロードし（Ｓ６）、捜索対象者２が捜索されるまでＳ３〜Ｓ６の処理が繰り返して行われる。
【００４０】
なお、Ｓ５の分類処理において、クラウドサーバ１００から取得した重み情報に基づいて作成された分類器により、Ｓ４で切り出した画像の人物が捜索対象者２である確率を求めて分類結果としてもよい。また、第２カメラ２１が設置されている位置の情報、又は当該第２カメラ２１の設置向きと撮影された撮像情報とに基づいて推定される捜索対象者２の位置の情報を併せてクラウドサーバ１００にアップロードしてもよい。さらに、第２カメラ２１に人物が撮像された時間とその時の移動状態（例えば、徒歩、小走り、自転車等）とに応じた現在のリアルタイムな捜索対象者２の存在する最大範囲を演算し、分類結果と共にクラウドサーバ１００にアップロードしてもよい。
【００４１】
図９は、本実施形態に係る管理装置の機能ブロック図である。管理装置３０は、クラウドサーバ１００にアップロードされた分類結果を取得する分類結果取得部３０１と、捜索対象者２の退出時間及び移動速度に基づいて、又は取得した分類結果に基づいて当該捜索対象者２が存在する範囲を推定して演算する対象範囲特定部３０２と、分類結果の情報及び捜索対象者２の存在する最大範囲に基づいて、捜索対象者２が存在する確率がわかるマップを生成するマップ生成部３０３と、生成されたマップをディスプレイ３１に表示する表示制御部３０４とを備える。
【００４２】
なお、対象範囲特定部３０２は、捜索対象者２が居住する建物から退出した時間と移動速度から推定される最大範囲を求めてもよいし、いずれかの分類結果情報に含まれる捜索対象者２が第２カメラ２１に撮像された確率、時間及び移動速度、並びに第２カメラ２１が設置されている位置に基づいて、現在捜索対象者２が存在し得る範囲を推定して求めるようにしてもよい。
【００４３】
図１０は、本実施形態に係る管理装置の処理を示すフローチャートである。まず、分類結果取得部３０１が、クラウドサーバ１００から分類結果情報の取得指示を受信する（Ｓ１）。受信した取得指示にしたがってクラウドサーバ１００から分類結果情報を取得する（Ｓ２）。対象範囲特定部３０２が、捜索対象者２の存在する最大範囲を推定する（Ｓ３）。マップ生成部３０３が、取得した分類結果情報及び推定した最大範囲に基づいて、マップを生成する（Ｓ４）。表示制御部３０４が、ディスプレイ３１に生成したマップを表示する（Ｓ５）。捜索対象者２が見つかるまでＳ１〜Ｓ５の処理が繰り返して行われる。
【００４４】
ここで、マップ生成処理を一例を示して詳細に説明する。図１１は、分類結果情報を取得してマップ表示するまでの具体的な処理の一例を示すフローチャート、図１２は、表示されたマップの一例を示す図である。まず、捜索対象者２が外出した時間から、対象となる分類結果情報を抽出する（Ｓ１）。つまり、捜索対象者２が外出する前の分類結果情報は参考にならないため、捜索対象者２の退出時間から現在時刻までの間の分類結果情報のみを処理対象とする。抽出された分類結果情報に含まれる第２カメラ２１を個別に識別するためのカメラＩＤと、予め登録されている第２カメラ２１のカメラＩＤ及び位置情報（例えば、緯度及び経度の情報）が記憶された第２カメラ情報とを紐づける（Ｓ２）。分類結果情報に含まれるカメラＩＤの位置情報を第２カメラ情報から取得し、マップ上にマーカを立てる（Ｓ３）。分類結果情報に含まれる一致度を演算し、一致度が所定の値以上である場合にマーカを強調表示に設定する（Ｓ４）。分類結果情報に対応する第２カメラ２１の位置情報と、対象範囲特定部３０２が推定した最大範囲とに基づいて、第２カメラ２１が最大範囲内であれば、捜索対象者２の居住地から当該第２カメラ２１の位置までマップ上に線を引く（Ｓ５）。生成されたマップを表示する（Ｓ６）。なお、マーカを立てる位置は、第２カメラ２１の設置位置に限定されず、例えば第２カメラ２１の設置向きと撮像された情報とに基づいて推定される捜索対象者の位置であってもよい。
【００４５】
捜索者は、図１２に示すようなマップの特に線（図１２においては一点鎖線で示す）が引かれた箇所における分類結果情報や第２カメラ２１の撮像情報を参照することで、捜索対象者２を特定しやすくなる。図１２において、退出地点（黒丸）を起点にして、各第２カメラ２１で撮像された人物の分類結果として捜索対象者２との一致度が算出されて表示されている。図１２の場合は、カメラ（１）、（２）、（４）及び（６）にて人物が撮像され、それぞれの人物が捜索対象者２である確率が表示されている。この中でカメラ（２）で撮像された人物は捜索対象者２である確率が９５％となっており、カメラ（２）と起点とを結ぶ線（一点鎖線）及びマーカ（星マーク）が強調表示されている。捜索者は図１２のような表示画面を確認し、カメラ（２）で撮像された人物を最優先に確保するようアクションを起こすことが可能となる。
【００４６】
なお、上述したように、図１２のマップを確認することでカメラに撮像された人物と捜索対象者２との一致度を瞬時に視認することが可能となるが、これ以外にも表示機能を追加することができる。例えば、カメラ（２）に撮像された動画像を分析することで、撮像された人物がカメラ（２）に対してどのような方角にどれくらいの速度で移動したかを演算することが可能となる。すなわち、現時点における前記人物の位置を推定することが可能となり、図１２の場合は、コンビニのカメラ（２）の動画像から、人物が北方向に向かった確率が３０％、南方向に向かった確率が７０％と計算されて表示されている。
【００４７】
また、各カメラで撮像された人物が捜索対象者２である割合と撮像時間とから、捜索対象者２の移動経路（図１２においては点線で示す）を予測することが可能である。また、当該移動経路と上述した動画像の分析とから今後の予測移動経路（図１２においては太線で示す）及び推定現在地を演算することも可能である。
【００４８】
さらに、各カメラにおけるマーカや線の表示態様を経過時間に応じて異ならせるようにしてもよい。例えば、捜索対象者２である確率が１００％の人物が５時間前に撮像された撮像情報と、捜索対象者２である確率が８０％の人物が１分前に撮像された撮像情報とでは、捜索対象者２が移動したことを考慮すると、後者に撮像された撮像情報の方が現時点における捜索対象者２の位置を示す情報である信憑性が高いと判断することができる。そのような場合は、例えば確率が１００％であってもこのカメラのマーカや線を強調表示をするのではなく、寧ろ確率が８０％の方のマーカや線を強調表示するようにしてもよい。
【００４９】
以上のように、本実施形態に係る対象者推定システムにおいては、捜索対象者２ごとに当該捜索対象者２を特定する分類器を生成し、任意の場所に設置されている第２カメラ２１に関連付けられた監視制御装置２２に対して生成した分類器を送信するため、捜索対象者２自身の個人情報が特定されるような画像などの情報を第３者に公開することなく分類器のみを配布することで、第２カメラ２１に撮像される人物を特定することができる。
【００５０】
また、分類器生成装置１２で生成された分類器による分類結果情報を受信し、受信した分類結果情報に基づいて捜索対象者２の位置を特定し、特定した捜索対象者２の位置の結果を出力することで、任意の箇所に設置されている第２カメラ２１で撮像された捜索対象者２の位置を容易に確認し、捜索することが可能になる。
【００５１】
さらに、捜索対象者２の移動速度に基づいて、当該捜索対象者２が存在する範囲を特定することで、捜索範囲を絞って捜索作業を簡素化することができる。
【００５２】
さらにまた、表示制御部３０４が、任意の場所に設置されている第２カメラ２１の場所、又は当該第２カメラ２１の撮像情報から推定される捜索対象者２の場所をマップ上で表示すると共に、当該各第２カメラ２１に関連付けられた監視制御装置２２が分類器で分類した分類結果情報を第２カメラ２１の場所、又は推定される前記対象者の場所と対応付けて表示することで、マップ上でどの第２カメラ２１がどのような撮像対象を撮像したかを瞬時に確認して、捜索対象者２らしい人物の有無を確認することができる。
【００５３】
さらにまた、表示制御部３０４が、分類結果情報を第２カメラ２１で撮像された人物が捜索対象者２である可能性を示す割合で演算され、当該割合が所定の値以上である場合に他の分類結果情報と異なる態様で表示することで、捜索対象者２らしい人物の位置情報をマップ上で容易に視認することが可能になる。
【符号の説明】
【００５４】
１  対象者推定システム
２  捜索対象者
１０  分類器生成システム
１１  第１カメラ
１２  分類器生成装置
２０  監視カメラシステム
２１  第２カメラ
２２  監視制御装置
３０  管理装置
３１  ディスプレイ
４１  ＣＰＵ
４２  ＲＡＭ
４３  ＲＯＭ
４４  ハードディスク
４５  通信Ｉ／Ｆ
４６  入出力Ｉ／Ｆ
１００  クラウドサーバ
１２１  撮像情報入力部
１２２  撮像情報記憶部
１２３  教師データ作成部
１２４  分類器生成部
１２５  重み情報記憶部
１２６  データ送信部
２２１  重み情報取得部
２２２  撮像情報入力部
２２３  画像処理部
２２４  分類処理部
２２５  データ送信部
３０１  分類結果取得部
３０２  対象範囲特定部
３０３  マップ生成部
３０４  表示制御部
【図１】
2020107213.tif 000003
【図２】
2020107213.tif 000004
【図３】
2020107213.tif 000005
【図４】
2020107213.tif 000006
【図５】
2020107213.tif 000007
【図６】
2020107213.tif 000008
【図７】
2020107213.tif 000009
【図８】
2020107213.tif 000010
【図９】
2020107213.tif 000011
【図１０】
2020107213.tif 000012
【図１１】
2020107213.tif 000013
【図１２】
2020107213.tif 000014